(57)【要約】【課題】  画像処理装置の操作部から設定のロックを解除ができるか否かをユーザが選択できるようにすることを目的とする。【解決手段】  設定値を記憶する記憶手段と、設定値を設定する設定手段と、前記画像処理装置の操作部を介して行われたユーザ操作に基づく指示を受信する第１の受信手段と、前記情報処理装置から指示を受信する第２の受信手段と、前記第１の受信手段もしくは前記第２の受信手段により受信される指示に従って、前記設定手段により行われた設定をロックし、前記第１の受信手段もしくは前記第２の受信手段により受信される指示に従って、前記設定のロックを解除するロック制御手段と、を有する画像処理装置において、前記第１の受信手段により受信される指示に基づいて、前記ロック制御手段によるロックの解除を許可するか否かを選択する選択手段を有することを特徴とする。【選択図】  図１９
2018191057.tif 000002
【特許請求の範囲】
【請求項１】
情報処理装置と接続可能な画像処理装置であって、
画像処理装置の設定値を少なくとも一つ記憶する記憶手段と、
前記記憶手段に記憶される設定値を設定する設定手段と、
前記画像処理装置の操作部を介して行われたユーザ操作に基づく指示を受信する第１の受信手段と、
前記情報処理装置から指示を受信する第２の受信手段と、
前記第１の受信手段により受信される指示もしくは前記第２の受信手段により受信される指示に従って、前記設定手段により行われた設定をロックし、前記第１の受信手段により受信される指示もしくは前記第２の受信手段により受信される指示に従って、前記設定のロックを解除するロック制御手段と、を有する画像処理装置において、
前記第１の受信手段により受信される指示に基づいて、前記ロック制御手段によるロックの解除を許可するか否かを選択する選択手段を有することを特徴とする画像処理装置。
【請求項２】
前記画像処理装置は、前記ロック制御手段により設定がロックされる設定項目の選択を受け付けることを特徴とする請求項１に記載の画像処理装置。
【請求項３】
前記画像処理装置は、前記第１の受信手段により受信される指示に基づくロックの解除が許可されている場合、設定のロックされている設定項目に対する操作が行われたことに従って、前記設定のロックを解除するか否かを選択する画面を前記操作部に表示することを特徴とする請求項１または２に記載の画像処理装置。
【請求項４】
前記画像処理装置は、前記第１の受信手段により受信される指示に基づくロックの解除が許可されていない場合、設定のロックされている設定項目に対する操作が行われたことに従って、設定がロックされていることを通知する画面を前記操作部に表示することを特徴とする請求項１乃至３のいずれか一項に記載の画像処理装置。
【請求項５】
前記操作部は、前記ロック制御手段により設定がロックされている設定項目をグレーアウト表示することを特徴とする請求項１乃至４のいずれか一項に記載の画像処理装置。
【請求項６】
前記画像処理装置は、コピー、プリント、スキャン、ファクスの少なくとも一つの機能を実行することができ、
前記画像処理装置は、前記ロック制御手段により使用を許可しない前記機能を設定することができることを特徴とする請求項１乃至５のいずれか一項に記載の画像処理装置。
【請求項７】
前記ロック制御手段は、ユーザが前記機能を使用するときに参照される設定をロックすることができることを特徴とする請求項６に記載の画像処理装置。
【請求項８】
前記画像処理装置は、前記第２の受信手段により受信される指示に基づいて、前記ロック制御手段によるロックを解除するか否かを設定することを特徴とする請求項１乃至７のいずれか一項に記載の画像処理装置。
【請求項９】
情報処理装置と接続可能な画像処理装置の制御方法であって、
前記画像処理装置に関する設定項目の設定値を少なくとも一つ記憶する記憶ステップと
前記記憶ステップにおいて記憶される前記設定値を設定する設定ステップと、
前記画像処理装置の操作部を介して行われたユーザ操作に基づく指示を受信する第１の受信ステップと、
前記情報処理装置から指示を受信する第２の受信ステップと、
前記第１の受信ステップにおいて受信される指示もしくは、前記第２の受信ステップにおいて受信される指示に従って、前記設定ステップにおいて行われた設定をロックし、前記第１の受信ステップにおいて受信される指示もしくは、前記第２の受信ステップにおいて受信される指示に従って、前記設定のロックを解除するロック制御ステップと、を有する画像処理装置の制御方法において、
前記第１の受信ステップにおいて受信される指示に基づく、前記設定のロックの解除を許可するか否かを選択する選択ステップを有することを特徴とする画像処理装置。
【請求項１０】
請求項９に記載の画像処理装置の制御方法をコンピュータに実行させるためのプログラム。
【発明の詳細な説明】
【技術分野】
【０００１】
本発明は、画像処理装置、および画像処理装置の制御方法、プログラム。
【背景技術】
【０００２】
ユーザは、画像処理装置を使用するときに、画像処理装置のタッチパネルから、各給紙段に入っている用紙の種類を登録したり、表示される画面の言語を設定したり、さまざまな設定項目を設定する。ユーザが各設定項目の設定値を設定した後、ユーザが誤って設定値を変更してしまわないよう、画像処理装置に接続されたＰＣ等の情報処理装置から、各設定項目の設定をロックすることが知られている。
【０００３】
さらに、特許文献１には、画像処理装置の設定をロックするか否かを、画像処理装置の操作部、または、画像処理装置に接続されたＰＣ等情報処理装置からユーザが設定できることが開示されている。
【先行技術文献】
【特許文献】
【０００４】
【特許文献１】特開２０１４−１６５７７１号公報
【発明の概要】
【発明が解決しようとする課題】
【０００５】
設定のロックを解除する操作を、画像処理装置の操作部またはＰＣ等の情報処理装置の一方から行いたい場合や、設定をロックするか否かの設定を、画像処理装置の操作部とＰＣ等情報処理装置の両方から行いたい場合がある。
【０００６】
たとえば、公共の施設や店舗に設置される画像処理装置は、多くのユーザにより使用されることが考えられる。上記のような場合、画像処理装置の操作部から設定のロックを解除できてしまうと、以下のような状況が起こりうる。ユーザが使用してほしい設定値を設定した後、画像処理装置の設定をロックしても、他のユーザにより画像処理装置の操作部から当該設定のロックが解除され、設定をロックしたユーザの意図しない設定でジョブが実行されてしまう。
【０００７】
一方で、オフィス等に設置される画像処理装置は、限られたユーザにより使用されることが考えられる。上記のような場合、ユーザが設定値を誤って変更しないよう、画像処理装置の設定をロックする。設定のロック解除を情報処理装置からしか行えない場合、ユーザは意図して通常と異なる設定で画像処理装置を使用するときに、必ず情報処理装置から設定のロックを解除しなくてはならない。
【０００８】
本発明に記載の画像処理装置は、画像処理装置の操作部から設定のロックを解除ができるか否かをユーザが選択できるようにすることを目的とする画像処理装置。
【課題を解決するための手段】
【０００９】
本発明に記載の画像処理装置は、情報処理装置と接続可能な画像処理装置であって、画像処理装置の設定値を少なくとも一つ記憶する記憶手段と、前記記憶手段に記憶される設定値を設定する設定手段と、前記画像処理装置の操作部を介して行われたユーザ操作に基づく指示を受信する第１の受信手段と、前記情報処理装置から指示を受信する第２の受信手段と、前記第１の受信手段により受信される指示もしくは前記第２の受信手段により受信される指示に従って、前記設定手段により行われた設定をロックし、前記第１の受信手段により受信される指示もしくは前記第２の受信手段により受信される指示に従って、前記設定のロックを解除するロック制御手段と、を有する画像処理装置において、前記第１の受信手段により受信される指示に基づいて、前記ロック制御手段によるロックの解除を許可するか否かを選択する選択手段を有することを特徴とする。
【発明の効果】
【００１０】
本発明に記載の画像処理装置は、画像処理装置の操作部から設定のロックを解除ができるか否かをユーザが選択できる。
【図面の簡単な説明】
【００１１】
【図１】本発明の実施例における、画像処理装置の構成図である。
【図２】本発明の実施例における、画像処理装置の操作部の概略図である。
【図３】本発明の実施例における、画像処理装置の操作部に表示される「ホーム」画面の一例である。
【図４】本発明の実施例における、画像処理装置の操作部に表示される「コピー」画面の一例である。
【図５】本発明の実施例における、画像処理装置の操作部に表示される「メニュー」画面の一例である。
【図６】本発明の実施例における、画像処理装置の操作部に表示される「通信音量設定」画面の一例である。
【図７】本発明の実施例における、画像処理装置の操作部に表示される「状況確認」画面の一例である。
【図８】本発明の実施例における、画像処理装置に接続される情報処理装置のディスプレイに表示される「デバイス管理」画面の一例である。
【図９】本発明の実施例における、画像処理装置に接続される情報処理装置のディスプレイに表示される「ロック機能の設定」画面の一例である。
【図１０】本発明の実施例における、画像処理装置に接続される情報処理装置のディスプレイに表示される「ロック機能の設定変更」画面の一例である。
【図１１】本発明の実施例における、画像処理装置の操作部に表示される「ロック機能」画面の一例である。
【図１２】本発明の実施例における、ファクス機能の実行が制限されている「ホーム」画面の一例である。
【図１３】本発明の実施例における、表示設定の設定値がロックされている「環境設定」画面の一例である。
【図１４】本発明の実施例における、コピージョブの設定値がロックされている「コピー」画面の一例である。
【図１５】本発明の実施例における、設定値がロックされた設定項目をユーザがタップ操作したときに、画像処理装置の操作部に表示される画面の一例である。
【図１６】本発明の実施例において、画像処理装置が設定のロック機能をオンに設定するときに実行する処理を示すフローチャートである。
【図１７】本発明の実施例において、画像処理装置が操作部に画面を表示するときの処理を示すフローチャートである。
【図１８】本発明の実施例において、画像処理装置の操作部で設定のロック機能をオンに設定したときに行われる処理を示すフローチャートである。
【図１９】本発明の実施例において、ユーザ操作を受け付けたときの処理を示すフローチャートである。
【発明を実施するための形態】
【００１２】
以下、本発明を実施するための最良の形態について図面を用いて説明する。本実施形態では、画像処理装置として複写機を例に説明をする。本発明に係る画像処理装置は、複写機に限定されることなく、スキャナ、プリンタ等他の画像処理装置についても同様である。
【００１３】
図１は本発明における画像処理装置である複写機１００のハードウェア構成を示すブロック図である。各ブロックはモジュールを示しており、ブロック間の矢印はデータもしくは指示の流れを示している。
【００１４】
複写機１００は、印刷部１０７、読取部１０９、操作部１１０、回線Ｉ／Ｆ１１２、及び、これらの制御を司るコントローラ部１０１で構成される。
【００１５】
コントローラ部１０１は、ＣＰＵ１０２、ＲＡＭ１０３、ＲＯＭ１０４、印刷部Ｉ／Ｆ１０６、読取部Ｉ／Ｆ１０８、ＭＯＤＥＭ１１１、ＵＳＢ  Ｉ／Ｆ１１５、ネットワークＩ／Ｆ１１８を含み、各ブロックはシステムバス１０５にて接続される。
【００１６】
ＣＰＵ１０２は、各種制御プログラムに従って前記の各ブロックを総括的に制御する。各種制御プログラムは、ＲＯＭ１０４のプログラム領域に記憶されている。ＣＰＵ１０２が制御プログラムを読み出し、実行することで処理が実現される。或いは、ＣＰＵ１０２は、ＲＯＭ１０４のプログラム領域に記憶された圧縮されたデータをＲＡＭ１０３へ伸張、展開して実行する。また、図示しないハードディスクドライブ（ＨＤＤ）に前述の各種制御プログラムが圧縮状態／非圧縮状態で格納されていてもよい。
【００１７】
ネットワークＩ／Ｆ１１８は、ネットワーク（ＬＡＮ）１２０などを介してホストコンピュータ１２１（図中、ＰＣと表記；以降、ＰＣという）との通信処理を行う。ネットワークＩ／Ｆ１１８とネットワーク１２０とは、ＬＡＮケーブル１１９などの通信ケーブルで接続される。ＭＯＤＥＭ１１１は、回線Ｉ／Ｆ１１２を介して公衆回線網１１４と接続され、図示しない他の画像形成装置やファクシミリ装置、電話機などと通信処理を行う。回線Ｉ／Ｆ１１２と公衆回線網１１４とは、一般的に電話線１１３などで接続される。
【００１８】
印刷部Ｉ／Ｆ１０６は、印刷部１０７（プリンターエンジン）に画像信号を出力するインターフェースである。また、読取部Ｉ／Ｆ１０８は、読取部１０９（スキャナエンジン）からの読取画像信号を入力するインターフェースである。ＣＰＵ１０２は、読取部Ｉ／Ｆ１０８より入力された画像信号を処理し、記録画像信号として印刷部Ｉ／Ｆ１０６へ出力する。これにより、スキャナエンジンで生成した画像データに基づく画像を、シートに印刷して出力することができる。
【００１９】
ＣＰＵ１０２は、ＲＯＭ１０４のフォント領域に記憶されたフォント情報を用いて、操作部１１０の表示部に文字や記号を表示する。さらに、ＣＰＵ１０２は、ユーザの指示を受けた操作部１１０からの指示情報を受け付ける。
【００２０】
また、ＲＯＭ１０４のデータ領域には、複写機１００の装置情報や、ユーザの電話帳情報、部門管理情報などが記憶されている。ＣＰＵ１０２は必要に応じてＲＯＭ１０４のデータＲＯＭから情報を読み出したり、当該情報を更新したりする。
【００２１】
本ブロック図では、読取部１０９および印刷部１０７が複写機１００の内部にある構成とした。読取部１０９と印刷部１０７のそれぞれ、もしくは両方が複写機１００の外部にある構成であってもよい。
【００２２】
図２は複写機１００に備えられた操作部１１０の概略図である。タッチパネル２０１は、ユーザからの操作を受付ける。たとえば、タッチパネル２０１は、ユーザがタッチパネル２０１に指やスタイラスで触れて、指先の位置を動かすことなくタッチパネル２０１から離す操作はタップ操作を受付ける。他にも、タッチパネル２０１は、ユーザが指先をタッチパネル２０１に接触させて、接触させたまま指先を移動させるムーブ操作等の操作を受付けることができる。タッチパネル２０１が上記の操作を検出するために用いる方法は公知の方法であってよい。タッチパネル２０１は、画面を表示する表示部としても機能する。タッチパネル２０１は、ユーザ操作に応じて複写機１００の設定を行う設定画面やプリントやスキャンなどの機能を利用するための機能画面などの画面を表示する。
【００２３】
ユーザが「ホーム画面」ボタン２０２を押下すると、タッチパネル２０１に後述する「ホーム」画面３００が表示される。「ストップ」ボタン２０４は、実行中のジョブを停止するためのボタンである。「電源」ボタン２０５は、複写機１００の電源のオン、オフを切り替えるボタンである。「ホーム画面」ボタン２０２、「ストップ」ボタン２０４、「電源」ボタン２０５上で複写機１００がタップ操作を検出すると、タップ操作が検出された位置にあるボタンに対応する処理を複写機１００が実行する。
【００２４】
ハードキー２０３は、複写機１００に備えられた不図示のスピーカーの音量を調整するキーである。本実施形態では、ハードキー２０３は、音量を調整するキーであるとして説明するが、ハードキー２０３がほかの設定値を設定するキーであっても構わない。たとえば、ハードキー２０３がタッチパネル２０１の明るさを変更するキーであってもよい。また、複写機１００は図２に記載のハードキー２０３以外に、テンキーや十字キーなどの他のハードキーを備えていてもよい。
【００２５】
図３から図７は本実施例に記載の操作部１１０のタッチパネル２０１に表示される画面の例である。
【００２６】
図３は、本実施例でタッチパネル２０１に表示される「ホーム」画面３００の一例である。「ホーム」画面３００は、複写機１００の電源がオンになったのち、最初にタッチパネル２０１に表示される画面である。また、ユーザが「ホーム画面」ボタン２０２をタップ操作したときに、タッチパネル２０１に表示される画面である。「ホーム」画面３００には、複写機１００のユーザが使用する機能がアイコンで表示されている。本実施例に記載の複写機１００は、読取部１０９で原稿を読み取って生成した画像データを印刷部１０７で印刷するコピー機能や、読取部１０９で原稿を読み取って生成した画像データを、公衆回線網１１４を介して送信するファクス機能、送信機能を備えている。さらに、複写機１００は、ＰＣ１２１から受信した画像データを、印刷部１０７で印刷するプリント機能や、ＵＳＢ等外部メモリから読み出した画像データを印刷部１０７で印刷するメディアプリント機能を有する。また、複写機１００は、読取部１０９で原稿を読み取って生成した画像データを不図示の記憶装置に記憶したり、ＰＣ１２１に送信するスキャン機能を有している。図３に示す「ホーム」画面３００は２ページで構成されており、ユーザがボタン３０４をタップ操作すると、図３では表示されていない機能を選択できる「ホーム」画面がタッチパネル２０１に表示される。
【００２７】
「状況確認」ボタン３０３は、ジョブの実行状況や、複写機１００にセットされている用紙やトナーの情報をタッチパネル２０１に表示するボタンである。
【００２８】
図４を用いて複写機１００において、ユーザがコピー機能の設定を行う方法を説明する。
【００２９】
「ホーム」画面３００でユーザが「コピー」アイコン３０１をタップすると、タッチパネル２０１に「コピー」画面４００が表示される。「コピー」画面４００は、ユーザがコピー機能を使用するときの設定値を設定する画面である。「倍率」ボタン４０１は、読取部１０９で原稿を読み取って生成した画像データを用紙に印刷するときの倍率をユーザが設定するボタンである。「両面・片面設定」ボタン４０２は、読取部１０９が読み取る原稿が両面印刷か片面印刷か、また、印刷部１０７が印刷するときに片面印刷をするか両面印刷をするかをユーザが設定するボタンである。「白黒スタート」ボタン４０３は、モノクロコピーの開始をユーザが指示するためのボタンであり、「カラースタート」ボタン４０７は、カラーコピーの開始をユーザが指示するためのボタンである。「用紙」ボタン４０４は、印刷部１０７が印刷に使用する用紙をユーザが設定するボタンである。「濃度」ボタン４０５は、印刷部１０７が印刷するときの濃度をユーザが設定するボタンである。「部数」ボタン４０６は、印刷部１０７が印刷をするときの部数をユーザが設定するボタンである。「ページ集約」ボタン４０８は、読取部１０９が読み取った複数枚の原稿を１枚の用紙に集約して印刷する設定をユーザが設定するためのボタンである。たとえば、「２＿１」が選択された場合、複写機１００は読取部１０９が読み取った２ページ分の画像データを１ページに集約して印刷部１０７で印刷する。ユーザは上記のボタンをタップ操作して、コピーの設定を変更したり、印刷処理の開始を指示する。
【００３０】
「ホーム」画面３００でユーザが「コピー」アイコン３０１をタップ操作したときに、タッチパネル２０１に表示されるコピー画面の設定は不図示の方法で設定することができる。たとえば、ユーザが「ホーム」画面３００で「コピー」アイコン３０１をタップ操作したときに、常にページ集約が「２＿１」に設定された状態の「コピー」画面４００をタッチパネル２０１に表示することができる。
【００３１】
図５は、「ホーム」画面３００でユーザが「メニュー」アイコン３０２をタップ操作したときに、タッチパネル２０１に表示される「メニュー」画面５００の一例である。「メニュー」画面５００は、複写機１００全体の設定を行うための画面である。たとえば、「環境設定」５０１をユーザがタップ操作すると、ユーザはタッチパネル２０１に表示される画面に用いられる言語の設定や、複写機１００の給紙トレイにセットされる用紙の種類の登録等を行うことができる。さらに「環境設定」５０１では、複写機１００が通常の動作モードから省電力モードに移行するまでの時間をユーザが設定することができる。複写機１００の管理者のみが設定を行うことのできる設定項目には鍵マーク５０２が付加されて、表示される。ユーザが鍵マーク５０２の付加された設定項目をタップすると、不図示の認証画面がタッチパネル２０１に表示される。ユーザは、管理者のユーザＩＤとパスワードを入力して複写機１００にログインする。その後、ユーザは選択した設定項目の設定を変更する。
【００３２】
図６は、ユーザがハードキー２０３を押下したときにタッチパネル２０１に表示される画面の一例である。タッチパネル２０１に「ホーム」画面３００や「コピー」画面４００が表示された状態で、ユーザがハードキー２０３を押下すると、「通信音量設定」画面６００がタッチパネル２０１に表示される。「通信音量設定」画面６００はファクスの送信および、受信時の通信音の音量をユーザが設定する画面である。ユーザが音量設定バー６０１の任意の箇所をタップ操作すると、スライダ６０４がタップ操作のなされた位置に移動し、通信音の音量が変更される。ユーザが音量設定バー６０１の左端に近い位置でタップ操作をすると、音量は小さく設定され、ユーザが音量設定バー６０１の右端に近い位置でタップ操作をすると、音量が大きく設定される。「他の音量設定」ボタン６０２は、たとえば、操作音等の他の音の音量をユーザが設定するためのボタンである。「確定」ボタン６０３は、設定された音量をユーザが決定するためのボタンである。上記の方法のほかに、ユーザがスライダ６０４をタッチしたまま、スライダ６０４を左右にドラッグ操作することで音量を変更することもできる。
【００３３】
図７は、「ホーム」画面３００でユーザが「状況確認」ボタン３０３をタップ操作したときに、タッチパネル２０１に表示される「状況確認」画面７００の一例である。「状況確認」画面７００は、複写機１００が実行するジョブの状況やエラー情報、デバイスのシリアルナンバー等を確認する画面である。ユーザが「エラー情報／お知らせ」７０２をタップ操作すると、タッチパネル２０１に複写機１００のエラー情報や消耗品の情報が表示される。エラー情報とは、たとえば、複写機１００で発生しているトナー切れや用紙切れに関する情報である。消耗品の情報とは、たとえば、給紙トレイにセットされている用紙の種類や、トナーの残量に関する情報である。ユーザが「デバイス情報」７０３をタップ操作すると、タッチパネル２０１に複写機１００のシリアルナンバー等の情報が表示される。ユーザが「コピー／プリントジョブ」７０４、「送信ジョブ」７０５、「受信ジョブ」７０６、「ファクス転送エラージョブ」７０７をタップ操作すると、タッチパネル２０１に各種類のジョブの実行状況や各種ジョブに関するエラー情報が表示される。ジョブの実行状況とは、例えば、実行済みのジョブの実行日時や正常に実行を完了したか否か、また、複写機１００に記憶されている未実行のジョブに関する情報である。ユーザが「ネットワーク情報」７０８をタップ操作すると、タッチパネル２０１にＩＰアドレスやＳＳＩＤ等ネットワークに関する情報が表示される。「メディア取り外し」ボタン７０１は、複写機１００に取り付けられたＵＳＢデバイス等を取り外すときに使用されるボタンである。「閉じる」ボタン７０９は、「状況確認」画面７００の表示を終了して、タッチパネル２０１に「ホーム」画面３００を表示するボタンである。
【００３４】
ここで、本実施例において、複写機１００の設定をロックするための方法を説明する。本明細書において、設定をロックするとは、ユーザが操作部から各設定項目の設定をできないようにすることである。たとえば、ユーザがタッチパネル上で、設定がロックされている設定項目をタップ操作しても、当該設定項目の設定を行うことができない状態である。ユーザはタッチパネル２０１、または、ＰＣ１２１から複写機１００の設定をロックするか否かの設定を行う。また、複写機１００で設定できる設定項目のうち、いずれの設定項目の設定をロックするかをユーザがＰＣ１２１から設定する。
【００３５】
図８〜図１０を用いて、ＰＣ１２１から設定のロック、および、設定のロックを行う対象となる設定項目をユーザが設定する方法を説明する。図８〜図１０に示す画面はＵＳＢ  Ｉ／Ｆ１１５、ネットワークＩ／Ｆ１１８を介してクライアントのＰＣ１２１等にＨＴＭＬ形式で送信される。ＰＣ１２１は受信した情報に基づいて生成される画面を、ＰＣ１２１のディスプレイに、ウェブブラウザでＷＥＢページとして表示する。
【００３６】
図８は、ＰＣ１２１のディスプレイに表示される複写機１００の「デバイス管理」画面８００である。「デバイス管理」画面８００は、ユーザが複写機１００全体に関する設定を行う画面である。ユーザが「ロック機能の設定」８０１にマウスのポインタをあわせてクリックすると、ＰＣ１２１のディスプレイに図９に示す「ロック機能の設定」画面９００が表示される。
【００３７】
図９は、設定のロック機能のオン／オフ、および、設定ロック機能がオンに設定された場合に各設定項目の設定がロックされるか否かを示す「ロック機能の設定」画面９００の一例を示す図である。「ロック機能の設定」画面９００には、設定をロックすることのできる設定項目と、それぞれの設定項目の設定のロックフラグの値が表示されている。
【００３８】
設定ロック機能フラグ９０１は、複写機１００の設定値のロック機能がオンに設定されているか否かを示すフラグである。設定ロック機能フラグ９０１が「オン」に設定されている場合、ユーザは予め設定された設定項目の設定値を設定することができない。設定ロック機能フラグ９０１が「オフ」に設定されている場合、ユーザは複写機１００の各設定項目の設定値を設定することができる。
【００３９】
操作部からのロック解除フラグ９０８は、複写機１００のタッチパネル２０１から設定ロック機能フラグ９０１をオフに設定することができるか否かを設定するフラグである。操作部からのロック解除フラグ９０８が「オン」に設定されている場合、ユーザはタッチパネル２０１から設定のロック機能を解除することができる。操作部からのロック解除フラグ９０８が「オフ」に設定されている場合、ユーザはタッチパネル２０１から設定のロック機能を解除することができない。そのため、操作部からのロック解除フラグ９０８が「オフ」に設定されている場合、ユーザはＰＣ１２１から複写機１００にアクセスして設定のロック機能を解除する。
【００４０】
画面ロックフラグ９０９は、操作部１１０からの操作を一律で受付ないように設定するか否かを示すフラグである。たとえば、設定ロック機能フラグ９０１および画面ロックフラグ９０９が「オン」に設定されているとする。このとき、ユーザがタッチパネル２０１および「電源」ボタン２０５、「ホーム画面」ボタン２０２、「ストップ」ボタン２０４、ハードキー２０３を操作しても複写機１００を操作することができない。画面ロックフラグ９０９が「オン」に設定されている場合、複写機１００はユーザからのタッチ操作を受け付けないが、ＰＣ１２１から受信した画像データに基づく印刷処理を実行することができる。
【００４１】
キーロックフラグ９０２は、ハードキー２０３に対応する設定項目の設定値を設定することができるか否かを示すフラグである。本実施例では、ハードキー２０３は音量の設定値を設定するためのキーである。そのため、キーロックフラグ９０２が「オン」に設定されている場合、ユーザは音量の設定値を設定することができない。一方で、キーロックフラグ９０２が「オフ」に設定されている場合、ユーザがハードキー２０３を押下すると、図６で示した画面６００がタッチパネル２０１に表示され、ユーザは音量の設定値を設定することができる。
【００４２】
メニュー操作ロックフラグ９０３は、ユーザが「メニュー」画面５００から設定することのできる設定項目の設定値を設定することができるか否かを示すフラグである。メニュー操作ロックフラグ９０３は、「メニュー」画面５００から設定することのできる設定項目ごとに設けられている。メニュー操作ロックフラグ９０３が「オン」に設定されている設定項目は、ユーザが設定値を変更することのできない設定項目である。メニュー操作ロックフラグ９０３が「オフ」に設定されている設定項目は、設定のロック機能が「オン」に設定されている場合でも、ユーザが設定値を設定することができる設定項目である。「メニュー」画面５００から設定することのできる設定項目について、いくつか例を挙げて説明する。図９のメニュー操作ロックフラグ９０３が付与されている設定項目は、「メニュー」画面５００の「環境設定」５０１または、「ファンクション設定」５０４がタップ操作された時に設定することができる設定項目である。たとえば、「用紙設定」は複写機１００の給紙トレイにセットされている用紙の種類を設定する設定項目である。「表示設定」は複写機１００のタッチパネル２０１に表示される画面の言語を設定する設定項目である。そのほかにも、コピーやプリント等各機能に関する設定項目の設定値を設定することができるか否かもメニュー操作ロックフラグ９０３で管理される。
【００４３】
ファンクション実行ロックフラグ９０４は、ユーザが各機能を使用することができるか否かを設定するフラグである。たとえば、「ファクスの利用」が「オン」に設定された場合、ユーザがファクス機能を使用できない設定でロックされる。そのため、ユーザが「ホーム」画面３００で「ファクス」アイコン３０５をタップ操作しても、タッチパネル２０１に不図示の「ファクス」画面は表示されない。したがって、ユーザはファクス機能を使用することができない。一方で、「コピーの利用」が「オフ」に設定されている場合、ユーザは「ホーム」画面３００で「コピー」アイコン３０１をタップ操作して、コピー機能を使用することができる。上記のように、ファンクション実行ロックフラグ９０４を設定することで、ユーザによる使用を禁止する機能を設定することができる。
【００４４】
ジョブの設定変更ロックフラグ９０５は、ユーザが各機能に関する設定値の設定をすることができるか否かを示すフラグである。たとえば、「コピージョブの編集ロック」が「オン」に設定されている場合、ユーザは「ホーム」画面３００で「コピー」アイコン３０１をタップ操作したときに表示される「コピー」画面４００の設定を変更することができない。したがって、ユーザは予め決められた設定のみでコピー機能を使用することができる。
【００４５】
状況確認画面ロックフラグ９０６は、ユーザが「ホーム」画面３００の「状況確認」ボタン３０３をタップ操作したときに、タッチパネル２０１に「状況確認」画面７００が表示されるか否かを示すフラグである。状況確認画面ロックフラグ９０６がオンに設定されている場合、ユーザが「状況確認」ボタン３０３をタップ操作しても、タッチパネル２０１に「状況確認」画面７００は表示されない。
【００４６】
「編集」ボタン９０７は、各設定のロックフラグの設定を編集するためのボタンである。ユーザが「編集」ボタン９０７にＰＣ１２１に接続されたマウスのポインタを合わせて、クリックすると、ＰＣ１２１のディスプレイに図１０に示す「ロック機能の設定変更」画面１０００が表示される。
【００４７】
操作部からのロック解除フラグ９０８を設けることで、複写機１００は、ＰＣ１２１と操作部１１０から設定のロック機能を解除できるモードと、ＰＣ１２１のみから設定のロック機能を解除できるモードで動作することができる。操作部からの設定のロック解除をオフに設定することで、複写機１００を使用するユーザが操作部１１０から設定のロックを解除することができないようにする。このようにすることで、ユーザが操作部から設定のロック機能を解除して設定値を設定してしまうことを防ぐことができる。一方で、操作部からの設定のロック解除をオンに設定することで、複写機１００を使用するユーザが操作部１１０から設定のロックを解除することができる。通常使用する設定値で設定がロックされている場合、いつもとは異なる設定で複写機１００を使用したいユーザは操作部１１０から設定のロック機能を解除して設定値を設定することができる。
【００４８】
図１０は、ユーザが設定項目ごとに設定をロックするか否かをＰＣ１２１で設定する「ロック機能の設定変更」画面１０００の一例である。「ロック機能の設定変更」画面１０００は、設定をロックするか否かを設定項目ごとに設定するチェックボックス１００３と、「ＯＫ」ボタン１００１、「キャンセル」ボタン１００２で構成される。ユーザがチェックボックス１００３をクリックすると、各設定項目のチェックボックスの色が反転して表示される。チェックボックスの色が反転している設定項目が設定のロックが「オン」である設定項目である。
【００４９】
「ＯＫ」ボタン１００１は、「ロック機能の設定変更」画面１０００で設定した設定値をＲＡＭ１０３に記憶する処理の実行を指示するボタンである。「ロック機能」のチェックボックス１００３の色が反転した状態で、「ＯＫ」ボタン１００１がクリックされると、設定ロック機能フラグ９０１がオンに設定される。「ロック機能」のチェックボックスの色が反転しない状態で「ＯＫ」ボタン１００１がクリックされると、設定ロック機能フラグ９０１はオフに設定される。
【００５０】
「キャンセル」ボタン１００２は、「ロック機能の設定変更」画面１０００に表示されている設定を破棄して、「ロック機能の設定変更」画面１０００が表示される前の設定を使用するボタンである。たとえば、図１０に示す状態で「ＯＫ」ボタン１００１がクリックされると、チェックボックスの色が反転している五つの設定項目の設定値が設定できないようになる。
【００５１】
次に、図１１を用いて、操作部１１０で設定のロックおよび、解除を設定する方法を説明する。図１１は操作部１１０のタッチパネル２０１に表示される「ロック機能」画面１１００の一例である。複写機１００は「ロック機能」画面１１００を介して、ユーザ操作を受け付け、設定のロック機能をオンにするかオフにするかを設定する。
【００５２】
「ロック機能」画面１１００は、ユーザが「メニュー」画面５００の環境設定をタップ操作した後、不図示の画面で「ロック機能」を選択することでタッチパネル２０１に表示される。
【００５３】
「ロック機能」画面１１００は、ユーザが設定をロックするか否かを設定する画面である。「ロック機能」スイッチ１１０１は、ユーザが設定値の設定ができないようにするか否かを設定するスイッチである。「ロック機能」スイッチ１１０１が「オン」の場合、図１０に示す「ロック機能の設定変更」画面１０００で設定値ロックフラグが「オン」に設定された設定項目の設定値を設定できない。「ロック機能」スイッチ１１０１が「オフ」の場合、ユーザはいずれの設定項目の設定値も設定できる。スイッチ１１０２は、ユーザが「ロック機能」スイッチ１１０１を設定するときに、操作部から設定のロック機能を「オフ」することができるか否かを設定するスイッチである。スイッチ１１０２が「オン」に設定されている場合、ユーザは、タッチパネル２０１に「ロック機能」画面１１００を表示して、「ロック機能」スイッチ１１０１を「オフ」に設定することができる。スイッチ１１０２が「オフ」に設定されている場合、タッチパネル２０１の「ロック機能」画面１１００から設定のロック機能をオフに設定することができない。
【００５４】
また、設定のロック機能が「オン」に設定されている間は、スイッチ１１０２はグレーアウトされて設定値を変更することができない。
【００５５】
「設定」ボタン１１０３は「ロック機能」画面１１００で設定された設定をＲＡＭ１０３に記憶する処理の実行を指示するボタンである。「キャンセル」ボタン１１０４は、「ロック機能」画面１１００で設定された設定を破棄する処理の実行を指示するボタンである。
【００５６】
設定のロックが設定されている場合に、タッチパネル２０１に表示される画面を図１２〜図１５を用いて説明する。
【００５７】
図１２は、設定ロック機能フラグ９０１と、ファンクション実行ロックフラグ９０４のファクスの利用がオンに設定されている場合、すなわと、設定がロックされているときにタッチパネル２０１に表示される「ホーム」画面３００である。上記の設定では、「ファクス」アイコン３０５がグレーアウト表示され、ユーザはファクス機能を使用することができない。
【００５８】
図１３は、設定ロック機能フラグ９０１と、メニュー操作ロックフラグ９０３の「表示設定」がオンに設定されている場合にタッチパネル２０１に表示される「環境設定」画面１２００の一例である。ユーザが「メニュー」画面５００の「環境設定」５０１をタップ操作すると、操作部に「環境設定」画面１２００が表示される。「表示設定」の設定値がロックされておりグレーアウト表示され、ユーザが「表示設定」の設定値を設定することができない。
【００５９】
図１４は、設定ロック機能フラグ９０１と、ジョブの設定変更ロックフラグ９０５の「コピージョブの編集ロック」がオンに設定されている場合にタッチパネル２０１に表示されるコピー画面の一例である。「コピージョブの編集ロック」がオンに設定されている場合、ユーザはコピー機能利用時に設定値を設定することができない。そのため「倍率」ボタン４０１、「用紙」ボタン４０４、「濃度」ボタン４０５、「部数」ボタン４０６、「両面・片面設定」ボタン４０２、「ページ集約」ボタン４０８の設定値がすべてグレーアウトして表示される。ユーザは、「白黒スタート」ボタン４０３および「カラースタート」ボタン４０７をタップ操作してコピージョブの開始を指示する。
【００６０】
図１５はユーザが設定のロックされている設定項目の設定値を設定するときに、複写機１００のタッチパネル２０１に表示される画面の一例である。図１５（ａ）は、操作部からのロック解除が「オン」に設定されている場合にタッチパネル２０１に表示される画面である。「はい」ボタン１２０２は、設定のロック機能を「オフ」に設定して、設定値の設定を許可するためのボタンである。「いいえ」ボタン１２０３は、設定のロック機能を「オン」に設定したままとし、ユーザは引き続き設定値の設定を行うことができない。
【００６１】
図１５（ｂ）は、操作部からのロック解除フラグ９０８が「オフ」に設定されている場合に、タッチパネル２０１に表示される画面である。ユーザが設定のロックされている設定項目の設定をタップ操作すると、タッチパネル２０１に画面１２０４が表示される。画面１２０４は、設定値の設定が行えないことをユーザに通知するための画面である。図１２（ｂ）では「設定がロックされています」という文言をタッチパネル２０１に表示しているが、タッチパネル２０１に表示される文言は上記の文言に限定されない。たとえば、タッチパネル２０１に「設定の設定を行うことのできない設定項目です」等の文言が表示されてもよい。
【００６２】
図１６のフローチャートを用いて、設定をロックするときに複写機１００が実行する処理を説明する。本フローチャートに記載の処理を実行するためのプログラムはＲＯＭ１０４に記憶されている。ＣＰＵ１０２がＲＯＭ１０４に記憶されたプログラムを読み出して実行することで処理が実現される。
【００６３】
図１６に記載の処理は、「ロック機能の設定変更」画面１０００の「ＯＫ」ボタン１００１がクリックされたことを示す信号をネットワークＩ／Ｆ１１６を介してＣＰＵ１０２が受信したことに従って開始される。
【００６４】
ＣＰＵ１０２は、ＰＣ１２１から設定ロック機能フラグ９０１の値を取得しＲＡＭ１０３に記憶する（Ｓ２０００）。
【００６５】
その後、ＣＰＵ１０２はＰＣ１２１から各設定項目の設定のロックフラグを取得する（Ｓ２００１）。
【００６６】
ＣＰＵ１０２は、操作部からのロック解除の設定をＲＡＭ１０３に記憶したか否かを判定する（Ｓ２００２）。
【００６７】
ＲＡＭ１０３に操作部からのロック解除の設定が記憶されていない場合、ＣＰＵ１０２は操作部からのロック解除の設定をＲＡＭ１０３に記憶する（Ｓ２００３）。ＣＰＵ１０２は、操作部からのロック解除フラグ９０８を参照して、操作部からのロック解除フラグ９０８の値をＲＡＭ１０３に記憶する。
【００６８】
ＣＰＵ１０２は、「ロック機能の設定変更」画面１０００で設定されるすべての設定項目の設定値を記憶したか否かを判定する（Ｓ２００４）。ＲＡＭ１０３にすべての設定項目の設定が記憶されている場合、ＣＰＵ１０２は本フローチャートに記載の処理を終了する。「ロック機能の設定変更」画面１０００で設定される設定項目のうち、設定値が記憶されていない設定項目がある場合、ＣＰＵ１０２は処理をＳ２００２に戻す。
【００６９】
Ｓ２００２において、操作部からのロック解除の設定がＲＡＭ１０３に記憶されている場合、ＣＰＵ１０２はキーロック設定をＲＡＭ１０３に記憶したか否かを判定する（Ｓ２００５）。キーロックの設定がＲＡＭ１０３に記憶されていない場合、ＣＰＵ１０２は、キーロックフラグ９０２を参照して、キーロックフラグ９０２の設定値をＲＡＭ１０３に記憶する（Ｓ２００６）。ＣＰＵ１０２は、Ｓ２００６に記載の処理を行った後、Ｓ２００４に処理を進める。
【００７０】
Ｓ２００５において、キーロックの設定がＲＡＭ１０３に記憶されている場合、ＣＰＵ１０２は、メニュー操作のロックに関する設定をＲＡＭ１０３に記憶したか否かを判定する（Ｓ２００７）。メニュー操作のロックに関する設定がＲＡＭ１０３に記憶されていない場合、ＣＰＵ１０２は、メニュー操作ロックフラグ９０３を参照する。ＣＰＵ１０２は、「メニュー」画面５００で設定することのできる各設定項目の設定をロックするか否かをＲＡＭ１０３に記憶する（Ｓ２００８）。ＣＰＵ１０２はＳ２００８に記載の処理を終了した後、Ｓ２００４に処理を進める。
【００７１】
２００７において、メニュー操作のロックに関する設定がＲＡＭ１０３に記憶されている場合、ＣＰＵ１０２は、ファンクション実行ロックの設定がＲＡＭ１０３に記憶されているか否かを判定する（Ｓ２００９）。ＲＡＭ１０３にファンクション実行ロックの設定が記憶されていない場合、ＣＰＵ１０２はジョブの種類ごとに、ファンクション実行ロックフラグ９０４を参照する。その後、ＣＰＵ１０２は、各ファンクションの実行が許可されているか否かをＲＡＭ１０３に記憶する（Ｓ２０１０）。Ｓ２０１２に記載の処理を終了したのち、ＣＰＵ１０２は処理をＳ２００４に進める。
【００７２】
Ｓ２００９において、ファンクション実行ロックの設定がＲＡＭ１０３に記憶されている場合、ＣＰＵ１０２はジョブの設定変更ロックの設定がＲＡＭ１０３に記憶されているか否かを判定する（Ｓ２０１１）。ジョブの設定変更ロックの設定がＲＡＭ１０３に記憶されていない場合、ＣＰＵ１０２はジョブの設定変更ロックフラグ９０５の設定値をＲＡＭ１０３に記憶する（Ｓ２０１２）。Ｓ２０１２に記載の処理を完了した後、ＣＰＵ１０２はＳ２００４に記載の処理を実行する。
【００７３】
Ｓ２０１１においてジョブの設定変更のロックがＲＡＭ１０３に記憶されている場合、ＣＰＵ１０２は状況確認画面ロックフラグ９０６の値をＲＡＭ１０３に記憶する（Ｓ２０１３）。ＣＰＵ１０２は、Ｓ２０１３に記載の処理を実行した後、処理をＳ２００４に返す。
【００７４】
図１６に記載のフローチャートでは、Ｓ２００１において、ＣＰＵ１０２がＰＣ１２１から各設定項目の設定値ロックフラグを取得するとした。しかし、Ｓ２００３、Ｓ２００６、Ｓ２００８、Ｓ２０１０、Ｓ２０１２、Ｓ２０１３において、ＣＰＵ１０２がＲＡＭ１０３に記憶する設定項目の設定のロックフラグをＰＣから取得するとしてもよい。
【００７５】
画像処理装置が、図１６に記載の処理を実行することで、当該画像処理装置が、情報処理装置から受信した指示に基づく、設定のロック制御を行うことができる。
【００７６】
図１７は、複写機１００が画面を表示するときに行う処理を示したフローチャートである。本フローチャートに記載の処理を実行するためのプログラムはＲＯＭ１０４に格納されている。ＣＰＵ１０２がＲＯＭ１０４から当該プログラムを読み出して実行することで処理が実現される。
【００７７】
ＣＰＵ１０２は、設定のロック機能が「オン」に設定されているか否かを判定する（Ｓ２５０１）。ＣＰＵ１０２は、ＲＡＭ１０３に記憶されている設定ロック機能フラグ９０１が「オン」であるか否かを判定する。設定ロック機能フラグ９０１が「オフ」の場合、ＣＰＵ１０２は表示するすべての設定項目の設定をユーザが設定可能な画面をタッチパネル２０１に表示する。設定ロック機能フラグ９０１が「オン」に設定されている場合、ＣＰＵ１０２は、表示する画面に設定がロックされている設定項目が含まれているか否かを判定する（Ｓ２５０２）。ＣＰＵ１０２は、表示する画面に含まれる設定項目の設定のロックフラグの値を確認する。たとえば、タッチパネル２０１に「ホーム」画面３００が表示される場合、ＣＰＵ１０２はファンクション実行ロックフラグ９０４と状態確認画面表示フラグを参照する。画面に表示される設定項目のすべての項目のフラグが「オフ」に設定されている場合、ＣＰＵ１０２はＳ２５０４に記載の処理を実行する。
【００７８】
いずれかの設定項目の設定のロックフラグが「オン」に設定されている場合、ＣＰＵ１０２は設定がロックされている設定項目をグレーアウト表示した画面をタッチパネル２０１に表示する（Ｓ２５０３）。たとえば、ファンクション実行ロックフラグ９０４の「ファクスの利用をロックする」が「オン」に設定されている場合、ＣＰＵ１０２は図１２に示す「ファクス」アイコン３０５がグレーアウト表示された「ホーム」画面３００をタッチパネル２０１に表示する。本実施例では、設定がロックされている設定項目をグレーアウト表示するとしたが、設定がロックされていることが認識可能に表示されればよい。例えば、設定がロックされている設定項目は所定のマークが付加されて表示される等でもよい。
【００７９】
ＣＰＵ１０２は、Ｓ２５０３に記載の処理を終了した後、本フローチャートに記載される処理を終了する。
【００８０】
図１８は、複写機１００が「ロック機能」画面１１００で「設定」ボタン１１０３をタップ操作したときにＣＰＵ１０２が実行する処理である。当該処理を実行するためのプログラムはＲＯＭ１０４に記憶されており、ＣＰＵ１０２が当該プログラムを実行することで処理が実現される。
【００８１】
ＣＰＵ１０２は「設定」ボタン１１０３がタップ操作されたか否かを判定する（Ｓ３５０１）。「設定」ボタン１１０３がタップ操作されていない場合、ＣＰＵ１０２は本フローチャートに記載の処理を終了する。すなわち、タッチパネル２０１には引き続き「ロック機能」画面１１００が表示される。
【００８２】
「設定」ボタン１１０３がタップ操作された場合、ＣＰＵ１０２は「ロック機能」スイッチ１１０１がオンであるか否かを判定する（Ｓ３５０２）。「ロック機能」スイッチ１１０１がオフであれば、ＣＰＵ１０２ＲＡＭ１０３に記憶されている設定ロック機能フラグ９０１の値をオフに設定して後述するＳ３５０８の処理を実行する（Ｓ３５０７）。
【００８３】
「ロック機能」スイッチ１１０１がオンに設定されていた場合、ＣＰＵ１０２はＲＡＭ１０３に記憶されている設定ロック機能フラグ９０１の値をオンに設定する（Ｓ３５０３）。
【００８４】
ＣＰＵ１０２はスイッチ１１０２の値がオンであるか否かを判定する（Ｓ３５０４）。スイッチ１１０２の値がオフである場合、ＣＰＵ１０２はＲＡＭ１０３に記憶されている操作部からのロック解除フラグ９０８をオフに設定する（Ｓ３５０６）。その後、ＣＰＵ１０２は、後述するＳ３５０８の処理を実行する。
【００８５】
スイッチ１１０２の値がオンである場合、ＣＰＵ１０２はＲＡＭ１０３に記憶されている操作部からのロック解除フラグ９０８をオンに設定する（Ｓ３５０５）。
【００８６】
ＣＰＵ１０２は、図１７に記載する処理を実行して「ホーム」画面３００を表示する（Ｓ３５０８）。図１８では、Ｓ３５０８においてＣＰＵ１０２が「ホーム」画面３００をタッチパネル２０１に表示するとしたが、ＣＰＵ１０２が他の画面をタッチパネル２０１に表示するとしてもよい。
【００８７】
画像処理装置が図１８に記載の処理を実行することで、画像処理装置の操作部１１０から設定のロック制御を行うことができる。
【００８８】
図１９は、ユーザが設定値を設定する操作を実行したときに実行される処理を示すフローチャートである。本フローチャートに記載の処理を実行するためのプログラムはＲＯＭ１０４に記憶されており、ＣＰＵ１０２が当該プログラムを実行することで本フローチャートに記載の処理が実現される。図１９に記載のフローチャートは、ＣＰＵ１０２がユーザからの操作を受付けたことに従って、実行される。ユーザからの操作とは、例えば、タップ操作である。
【００８９】
ＣＰＵ１０２は、設定のロック機能が「オン」に設定されているか否かを判定する（Ｓ３００１）。ＣＰＵ１０２は、ＲＡＭ１０３に記憶されている設定ロック機能フラグ９０１が「オン」であるか否かを判定する。設定ロック機能フラグ９０１が「オフ」である場合、ＣＰＵ１０２は、操作部１１０を介して受け付けたユーザからの操作に対応する画面をタッチパネル２０１に表示する。たとえば、ユーザが「ホーム」画面３００で「メニュー」アイコン３０２をタップ操作した場合、ＣＰＵ１０２は図１７に記載の処理を実行する。その後、ＣＰＵ１０２は生成した「メニュー」画面５００をタッチパネル２０１に表示する（Ｓ３００７）。
【００９０】
設定ロック機能フラグ９０１が「オン」である場合、ＣＰＵ１０２は受け付けたユーザによる操作が、設定がロックされた設定項目に対する操作であるか否かを判定する（Ｓ３００２）。ＣＰＵ１０２は、タッチパネル２０１上でタップ操作が検出された位置から、ユーザが画面のどの設定項目に対してタップ操作を行ったかを検出する。ＣＰＵ１０２はタップ操作が行われたと検出された設定項目の設定のロックフラグを参照する。タップ操作が行われた設定項目の設定のロックフラグが「オフ」に設定されている場合、ＣＰＵ１０２は処理をＳ３００７に進める。たとえば、ユーザが「ホーム」画面３００で「ファクス」アイコン３０２をタップ操作した場合、ＣＰＵ１０２はファンクション実行ロックフラグ９０４の「ファクスの利用をロックする」が「オン」であるか否かを判定する。
【００９１】
ＣＰＵ１０２は操作部１１０から設定のロック機能をオフに設定することができるか否かを判定する（Ｓ３００３）。ＣＰＵ１０２は操作部からのロック解除フラグ９０８が「オン」であるか否かを判定する。操作部からのロック解除フラグ９０８が「オン」に設定されている場合、ＣＰＵ１０２は、図１５（ａ）に示す画面１２０１を操作部１１０のタッチパネル２０１に表示する（Ｓ３００４）。タッチパネル２０１に画面１２０１を表示することで、ユーザはＰＣ１２１から複写機１００に接続しなくても、複写機１００から設定のロック機能を解除することができる。
【００９２】
ＣＰＵ１０２は、ユーザが行った操作が設定のロック機能の解除操作であるか否かを判定する（Ｓ３００５）。画面１２０１の「はい」ボタン１２０２へのタップ操作が検出された場合、ＣＰＵ１０２はユーザが行った操作が設定のロック機能の解除操作であると判定する。画面１２０１の「いいえ」ボタン１２０３へのタップ操作が検出された場合、ＣＰＵ１０２は、ユーザが行った操作が設定のロック機能の解除操作ではないと判定する。
【００９３】
ユーザが行った操作が設定値ロック機能の解除操作でない場合、ＣＰＵ１０２は後述するＳ３０１０の処理を実行する。
【００９４】
Ｓ３００５でユーザが行った操作が設定のロック機能の解除操作であると判定された場合、ＣＰＵ１０２は設定ロック機能フラグ９０１を「オフ」に設定する（Ｓ３００６）。その後、ＣＰＵ１０２は、図１９に示す処理を開始したときに、検出された操作に基づく画面を表示する（Ｓ３００７）。たとえば、ユーザが「ホーム」画面３００で「ファクス」アイコン３０２をタップ操作した場合、ＣＰＵ１０２はタッチパネル２０１にファクスの送信設定または受信設定を行う不図示の「ファクス」画面を表示する。
【００９５】
Ｓ３００３において、操作部からのロック解除フラグ９０８が「オフ」に設定されている場合、ＣＰＵ１０２は図１５（ｂ）に示す画面１２０４をタッチパネル２０１に表示する（Ｓ３００８）。そして、ＣＰＵ１０２は画面１２０４がタッチパネル２０１に表示されてから一定時間が経過したか否かを判定する（Ｓ３００９）。タッチパネル２０１に画面１２０４が表示されてから一定時間経過した場合、ＣＰＵ１０２は本フローチャートに記載の処理を開始する前にタッチパネル２０１に表示されていた画面を、タッチパネル２０１に表示する（Ｓ３０１０）。たとえば、ユーザが「ホーム」画面３００で「ファクス」アイコン３０２をタップ操作した場合、画面１２０４が一定時間表示された後、「ホーム」画面３００がタッチパネル２０１に表示される。
【００９６】
本実施例では、情報処理装置に接続可能な画像処理装置の操作部から設定のロックの解除を行うことができるか否かをユーザが設定することができる。このようにすることで、画像処理装置は、操作部とＰＣ等の情報処理装置から設定のロックの解除を行うことができるモードと、ＰＣ等の情報処理装置のみから設定のロックの解除を行うことができるモードで動作することができる。ユーザは画像処理装置の設置環境に応じて、上記の２つの動作モードを切り替えて、画像処理装置を使用することができる。
（その他の実施形態）
本実施例では、複写機１００の操作部１１０で設定のロック機能を解除することができるか否かを設定することができる場合を説明した。その他の設定方法として、複写機１００の操作部１１０で設定のロック機能を使用するか否かの設定を行うか否かを、ＰＣ１２１を介して設定できてもよい。
【００９７】
たとえば、ＰＣ１２１のディスプレイに表示される図９の「ロック機能の設定」画面９００の操作部からのロック解除フラグ９０８を操作部からのロック設定フラグに変更する。操作部からのロック設定フラグが「オン」に設定されている場合、ユーザは図１１に示す「ロック機能」画面１１００の「ロック機能」スイッチ１１０１で設定のロック機能のオン／オフを設定することができる。一方で、操作部からのロック設定フラグが「オフ」に設定されている場合、図１１に示す「ロック機能」画面１１００の「ロック機能」スイッチ１１０１がグレーアウト表示される。そのため、ユーザは画像処理装置から設定のロック機能のオン／オフを設定することができなくなる。このようにすることで、複写機１００は、複写機１００の操作部とＰＣ等情報処理装置の両方から設定のロック機能のオン／オフを設定するモードと、上記の情報処理装置のみから設定のロック機能のオン／オフを設定するモードで動作することができる。
【００９８】
このようにすることで、ユーザが使用してほしい設定値を設定してから設定値ロック機能をオンにしたのち、他のユーザにより操作部から設定値のロック機能が解除されることを防ぐことができる。さらに、ユーザが意図しないタイミングで、操作部から設定値ロック機能がオンに設定してしまうことを防ぐことができる。
【００９９】
さらに、本実施例では、ＰＣ等の情報処理装置からは常に設定のロック機能のオン／オフを設定することができるとして説明した。ＰＣ等の情報処理装置から設定のロック機能のオン／オフを設定できるか否かを切り替えることができてもよい。
【０１００】
たとえば、図９の「ロック機能の設定」画面９００に設定ロック機能フラグ９０１に加えて、「操作部からのロック設定フラグ」と「ＰＣからのロック設定フラグ」を設ける。さらに、図１１に示す「ロック機能」画面１１００に「ＰＣからのロック設定」スイッチを設ける。「操作部からのロック設定フラグ」と「ＰＣからのロック設定フラグ」がともにオンに設定されている場合、操作部およびＰＣ等の情報処理装置から設定のロック機能を使用するか否かの設定を行うことができる。一方で、「操作部からのロック設定フラグ」がオン、「ＰＣからのロック設定フラグ」がオフに設定されている場合、図１１に示す「ロック機能」画面１１００からのみ、設定のロック機能のオン／オフをユーザが設定することができる。ＰＣ１２１のディスプレイに表示される図９の「ロック機能の設定」画面９００の「編集」ボタン９０７はグレーアウト表示され、ユーザは「編集」ボタン９０７をクリックすることができない。また、「操作部からのロック設定フラグ」がオフ、「ＰＣからのロック設定フラグ」がオンに設定されている場合、ユーザはＰＣ１２１のディスプレイに表示される「ロック機能の設定」画面９００からのみ設定のロック機能のオン／オフを設定することができる。タッチパネル２０１に表示される「ロック機能」画面１１００の「ロック機能」スイッチ１１０１はグレーアウト表示され、ユーザは「ロック機能」スイッチ１１０１を用いて設定のロック機能のオン／オフを設定することができない。
【０１０１】
このようにすることで、ユーザは画像処理装置の設置環境に合わせて、設定のロック機能の設定を行う方法を選択することができる。たとえば、店舗や公共施設等に設置する画像処理装置では、ＰＣ等の情報処理装置のみから設定のロック機能の設定を変更できるよう設定する。ＰＣ等の情報処理装置から画像処理装置に接続して設定値を変更されることを好まない場合には、操作部のみから設定のロック機能の設定を変更できるよう設定することもできる。
【０１０２】
本発明は、以下の処理を実行することによっても実現される。即ち、上述した実施例の機能を実現するソフトウェア（プログラム）をネットワーク又は各種記憶媒体を介してシステム或いは装置に供給し、そのシステム又は装置のコンピュータ（又はＣＰＵやＭＰＵ等）がプログラムコードを読み出して実行する処理である。この場合、そのプログラム、及び該プログラムを記憶した記憶媒体は本発明を構成することになる。
【図１】
2018191057.tif 000003
【図２】
2018191057.tif 000004
【図３】
2018191057.tif 000005
【図４】
2018191057.tif 000006
【図５】
2018191057.tif 000007
【図６】
2018191057.tif 000008
【図７】
2018191057.tif 000009
【図８】
2018191057.tif 000010
【図９】
2018191057.tif 000011
【図１０】
2018191057.tif 000012
【図１１】
2018191057.tif 000013
【図１２】
2018191057.tif 000014
【図１３】
2018191057.tif 000015
【図１４】
2018191057.tif 000016
【図１５】
2018191057.tif 000017
【図１６】
2018191057.tif 000018
【図１７】
2018191057.tif 000019
【図１８】
2018191057.tif 000020
【図１９】
2018191057.tif 000021